(57)【特許請求の範囲】
【請求項１】
物体側から順に並んだ第１レンズ群と第２レンズ群との少なくとも一部が内側に配置された筒部を有するレンズ鏡筒であって、
前記筒部の内壁面には、前記レンズ群の光軸を含む縦断面において、前記第１レンズ群と前記第２レンズ群との間に遮光溝が光軸方向に沿って複数形成してあり、
前記遮光溝が、像側に面する第１傾斜面と、前記物体側に面し且つ前記光軸に対する傾斜角度が前記第１傾斜面よりも小さい第２傾斜面とを少なくとも有し、
少なくとも一部の前記遮光溝が、前記第１傾斜面と前記第２傾斜面との中間に形成され前記光軸方向に略平行な平行面を有し、
前記遮光溝内で、前記第１傾斜面の前記光軸への第１射影長をＰ１、前記平坦面の前記光軸への第２射影長をＰ２、前記第２傾斜面の前記光軸への第３射影長をＰ３とした場合に、以下の条件式（１）を満たし、
Ｐ１＋Ｐ２ ＜ Ｐ３ … （１）
前記第１レンズ群から前記第２レンズ群に近づくにつれて前記第１射影長Ｐ１を大きくすることで前記遮光溝のピッチ間隔が前記第１レンズ群から前記第２レンズ群に近づくにつれて広くなるように前記遮光溝を形成したことを特徴とするレンズ鏡筒。
【請求項２】
下記の条件式（２）を満たすことを特徴とする請求項１に記載のレンズ鏡筒。
０．０５＜Ｐ２／（Ｐ１＋Ｐ２＋Ｐ３）＜０．９５ … （２）
【請求項３】
前記光軸に対する前記第１傾斜面の角度が、前記第２レンズ群に近い前記遮光溝に比較して、前記第２レンズ群から前記物体側に離れている前記遮光溝で大きい請求項１または２に記載のレンズ鏡筒。
【請求項４】
前記光軸に対する前記第２傾斜面の角度が、前記第２レンズ群に近い前記遮光溝に比較して、前記第２レンズ群から前記物体側に離れている前記遮光溝で小さい請求項１または２に記載のレンズ鏡筒。
【請求項５】
前記第１レンズ群は正の屈折率を有し、前記第２レンズ群が、負の屈折率を有する請求項１〜４のいずれかに記載のレンズ鏡筒。
【請求項６】
前記第２レンズ群と前記第１レンズ群との前記光軸方向に沿った空気間隔が変化可能に構成してある請求項１〜５のいずれかに記載のレンズ鏡筒。
【請求項７】
請求項１〜６のいずれかに記載のレンズ鏡筒を有する撮影装置。
【発明の詳細な説明】
【技術分野】
【０００１】
本発明は、レンズ鏡筒、撮影装置およびフードに関する。
【背景技術】
【０００２】
カメラやカメラ用交換レンズ、ビデオカメラなどの光学機器に用いられるレンズ鏡筒内の反射を防止または低減する構造として、たとえば鏡筒内周面にＶ字型の溝、いわゆる遮光線を周期的に設けたレンズ鏡筒の構造が知られている（特許文献１）。
【０００３】
しかしながら、従来のレンズ鏡筒では、レンズ鏡筒内での光軸方向の位置によらず、遮光溝の溝幅が一定であり、光軸方向に隣接する遮光溝の間に形成される内方凸部の数が多くなり、その内方凸部の頂点での反射を抑制することが困難であった。
【０００４】
なお、レンズ鏡筒内での所定のレンズ群の光軸方向の前後において、遮光溝の溝深さを、変化させたレンズ鏡筒は知られている（特許文献２）。
【０００５】
しかしながら、従来のレンズ鏡筒における遮光溝の形状は、レンズ鏡筒内に入射して遮光溝に入る光線の角度を考慮しているが、遮光溝から撮像素子へ向かう光線に関しては何ら考慮されていない形状であり、より効果的な反射防止機能を有する遮光溝を持つレンズ鏡筒が求められていた。
【先行技術文献】
【特許文献】
【０００６】
【特許文献１】特開２０１０−２０１８１号公報
【特許文献２】特開２００３−１７７２９３号公報
【発明の開示】
【発明が解決しようとする課題】
【０００７】
本発明は、このような実状に鑑みてなされ、その目的は、レンズ鏡筒内での反射防止効果を高め、撮像画像におけるフレアやゴーストなどの撮像不良を低減することができるレンズ鏡筒およびそれを備える撮影装置およびフードを提供することを目的とする。
【課題を解決するための手段】
【０００８】
上記目的を達成するために、本発明に係るレンズ鏡筒は、
レンズ群（１０ｂ）の物体側に少なくとも一部が配置された第１筒部（８ａ）を有するレンズ鏡筒（８）であって、
前記第１筒部（８ａ）の内壁面には、前記レンズ群（１０ｂ）の光軸を含む縦断面において、鋸刃形状の遮光溝（２０，２０ａ〜２０ｃ）が光軸方向に沿って複数形成してあり、
前記光軸（Ｏ）方向に沿って複数の前記遮光溝（２０，２０ａ〜２０ｃ）の溝幅が、前記物体側から前記レンズ群（１０ｂ）に近づくにつれて変化するように構成してあることを特徴とする。
【０００９】
前記光軸（Ｏ）方向に沿って複数の前記遮光溝（２０，２０ａ〜２０ｃ）の溝幅が、前記物体側から前記レンズ群（１０ｂａ）に近づくにつれて連続的に広くするように構成しても良い。
【００１０】
前記遮光溝（２０，２０ａ〜２０ｃ）が、像側に面する第１傾斜面（２２）と、物体側に面する第２傾斜面（２４）とを少なくとも有していても良い。
【００１１】
少なくとも一部の前記遮光溝（２０，２０ａ〜２０ｃ）が、前記第１傾斜面（２２）と前記第２傾斜面（２４）との中間に形成され前記光軸方向に略平行な平行面（２６）をさらに有しても良い。
【００１２】
前記遮光溝（２０，２０ａ〜２０ｃ）内で、前記第１傾斜面（２２）の前記光軸への第１射影長をＰ１、前記平行面（２６）の前記光軸への第２射影長をＰ２、前記第２傾斜面（２４）の前記光軸への第３射影長をＰ３とした場合に、以下の条件式（１）を満たすレンズ鏡筒（８）を有しても良い。全ての前記遮光溝（２０，２０ａ〜２０ｃ）内で、条件式（１）を満たすようにしても良い。
Ｐ１＋Ｐ２  ＜  Ｐ３    …  （１）
【００１３】
下記の条件式（２）を満たすようにしても良い。
０．０５＜Ｐ２／（Ｐ１＋Ｐ２＋Ｐ３）＜０．９５  …  （２）
【００１４】
前記光軸方向に対する前記第１傾斜面（２２）の角度が、前記レンズ群（１０ｂ）に近い前記遮光溝に比較して、前記レンズ群（１０ｂ）から前記物体側に離れている前記遮光溝で大きくしても良い。
【００１５】
前記光軸方向に対する前記第２傾斜面の角度が、前記レンズ群（１０ｂ）に近い前記遮光溝に比較して、前記レンズ群（１０ｂ）から前記物体側に離れている前記遮光溝で小さくしても良い。
【００１６】
前記レンズ群（１０ｂ）の物体側には物体側レンズ群（１０ａ）が備えられ、
前記第１筒部（８ａ）の内壁面に前記光軸方向に沿って形成された複数の前記遮光溝（２０，２０ａ〜２０ｃ）を、前記レンズ群（１０ｂ）と前記物体側レンズ群（１０ａ）の間に位置させても良い。
【００１７】
前記物体側レンズ群（１０ａ）は、正の屈折率を有し、前記レンズ群（１０ｂ）が、負の屈折率を有しても良い。
【００１８】
また、前記レンズ群（１０ｂ）と前記物体側レンズ群（１０ａｂ）との前記光軸方向に沿った距離が変化可能に構成してあってもよい。
【００１９】
本発明の撮影装置は、上記の何れかに記載のレンズ鏡筒を有する。
【００２０】
本発明に係るフードは、
レンズ鏡筒（８）の物体側に装着可能なフード（８０）であって、
前記フード（８０）の内壁面には、前記レンズ鏡筒（８）の光軸（Ｏ）を含む縦断面において、鋸刃形状の遮光溝（２０）が光軸（Ｏ）方向に沿って複数形成してあり、
前記光軸（Ｏ）方向に沿って複数の前記遮光溝（２０）のピッチ間隔が、物体側から像側に近づくにつれて変化するように形成してあることを特徴とする。
【００２１】
前記光軸（Ｏ）方向に沿って複数の前記遮光溝（２０）のピッチ間隔が、物体側から像側に近づくにつれて連続的に広くなるように形成してあってもよい。
【００２２】
なお、上述の説明では、本発明をわかりやすく説明するために、実施形態を示す図面の符号に対応つけて説明したが、本発明は、これに限定されるものでない。後述の実施形態の構成を適宜改良してもよく、また、少なくとも一部を他の構成物に代替させてもよい。更に、その配置について特に限定のない構成要件は、実施形態で開示した配置に限らず、その機能を達成できる位置に配置することができる。
【図面の簡単な説明】
【００２３】
【図１】図１は本発明の一実施形態に係るカメラの概略断面図である。
【図２】図２は図１に示すレンズ鏡筒の内壁面に形成した各遮光溝における第１傾斜面、第２傾斜面および平行面の関係を示す要部断面図である。
【図３】図３は図１に示す第１レンズ群の近くに位置する遮光溝と第２レンズ群の近くに位置する遮光溝との比較を示す要部断面図である。
【図４】図４（Ａ）は本発明の他の実施形態に係る遮光溝の要部断面図、図４（Ｂ）は本発明のさらに他の実施形態に係る遮光溝の要部断面図である。
【図５】図５は第１レンズ群からの距離と入射光の最大光線角度Φｉｍａｘとの関係を示すグラフである。
【図６】図６は第１レンズ群からの距離と撮像素子への出射光の最大光線角度θ０ｍａｘおよび最小光線角度θ０ｍｉｎとの関係を示すグラフである。
【図７】図７は本発明のさらに他の実施形態に係る遮光溝の要部断面図である。
【図８】図８は本発明のさらに他の実施形態に係る遮光溝の要部断面図である。
【図９】図９は本発明の他の実施形態に係るフード付きカメラの概略断面図である。
【発明を実施するための形態】
【００２４】
以下、本発明を、図面に示す実施形態に基づき説明する。
図１に示すように、本発明の一実施形態に係るデジタルスチルカメラ２は、レンズ鏡筒が交換可能な一眼レフカメラであっても良いが、本実施形態では、レンズが一体となっているコンパクトカメラとして説明する。このカメラ２は、撮像素子４を内蔵しているカメラ本体６を有する。
【００２５】
カメラ本体６には、レンズ鏡筒８が取り付けられている。この実施形態では、レンズ鏡筒８は、第１筒部８ａと第２筒部８ｂとを有し、第２筒部８ｂがカメラ本体６に対して固定してある。第２筒部８ｂには、第２レンズ群１０ｂが取り付けられている。第２レンズ群１０ｂは、単一または複数のレンズで凹レンズ（負の屈折率を持つ）を構成している。第２レンズ群１０ｂは、第２筒部８ｂの内部で、その光軸Ｏ方向に移動自在に装着してあっても良いし、移動不可に固定してあっても良い。
【００２６】
第２レンズ群１０ｂの光軸Ｏ方向に沿って物体側（被写体側）には、第１レンズ群１０ａが配置してあり、第１レンズ群１０ａは、第１筒部８ａの内側に固定してある。第１レンズ群１０ａは、単一または複数のレンズで凸レンズ（正の屈折率を持つ）を構成しており、レンズ鏡筒８の最も物体側に配置してある。
【００２７】
第２レンズ群１０ｂと撮像素子４との間には、その他のレンズ群１０ｃが配置してある。その他のレンズ群１０ｃは、本実施形態では、単一または複数のレンズで凸レンズを構成している。レンズ鏡筒８の物体側の先端８ｃには、たとえばフードが具備してあっても良く、そこから入射した被写体光を、第１レンズ群１０ａ、第２レンズ群１０ｂおよびその他のレンズ群１０ｃを通して、撮像素子４の表面に結像させるようになっている。撮像素子４は、たとえばＣＣＤあるいはＣＭＯＳなどで構成される。
【００２８】
第１筒部８ａは、必ずしも単一の筒部である必要はなく、複数の筒部の組合せであってもよい。第１筒部８は、たとえば固定筒と回転筒と移動筒との組合せであっても良い。第２筒部８ｂも単一の筒部である必要はなく、複数の筒部の組合せであってもよい。第１筒部８ａの一部に取付てある第１レンズ群１０ａは、第２筒部８ｂの一部に取付てある第２レンズ群１０ｂに対して、光軸Ｏに沿って相対的に移動自在であり、撮像素子４に結像される被写体像の倍率を変更可能になっている。
【００２９】
この実施形態では、第２レンズ群１０ｂおよび第１レンズ群１０ａを光軸Ｏに沿って移動させることで、カメラ２に、ズーミング機能とフォーカス機能を持たせることができる。なお、第２レンズ群１０ｂとその他のレンズ群１０ｃとの間には、絞り機構１２が装着してある。絞り機構１２は、第２レンズ群１０ｂよりも、その他のレンズ群１０ｃの近くに装着してある。
【００３０】
第２レンズ群１０ｂと第１レンズ群１０ａとの間に位置する第１筒部８ａの内壁面（内周面）には、鋸刃形状の遮光溝２０が光軸Ｏに沿って連続して多数形成してある。光軸Ｏに沿って第１筒部８ａの内壁面に形成してある各遮光溝２０は、リング形状に各々分離し
てあっても良いし、螺旋状につながっていても良い。
【００３１】
図２に示すように、各遮光溝２０は、像側（図１に示す撮像素子４の側）に面する第１傾斜面２２と、物体側（図１に示す先端部８ｃの側）に面する第２傾斜面２４とを有する。これらの第１傾斜面２２と第２傾斜面２４との中間には、光軸Ｏから離れた位置で光軸Ｏに略平行な平行面２６が形成してある。これらの第１傾斜面２２と第２傾斜面２４と平行面２６とは、断面において直線状に形成してあるが、必ずしも直線である必要はなく、凸状もしくは凹状の曲面であっても良い。
【００３２】
各遮光溝２０内で、第１傾斜面２２の光軸Ｏへの第１射影長をＰ１、平行面２６の光軸Ｏへの第２射影長をＰ２、第２傾斜面２４の光軸Ｏへの第３射影長をＰ３とした場合に、遮光溝２０は、以下の条件式（１）を満たす。
Ｐ１＋Ｐ２  ＜  Ｐ３    …  （１）
【００３３】
上記の条件式(１)を満足させることで、物体側からレンズ鏡筒８内に入り込む光が遮光溝２０の内部に入り込んでも第１傾斜面２２および平行面２６には当たらず、第２傾斜面２４で反射し、その反射光は、像側の撮像素子４には入射せずに物体側に戻される。
【００３４】
なお、本実施形態では、全ての遮光溝２０において、上記の関係式（１）を満足させる必要はなく、第２レンズ群１０ｂに近い位置に形成される遮光溝２０に関しては、必ずしも上記の関係式（１）を満足させる必要はない。ただし、全ての遮光溝２０に関して上記の関係式（１）を満足させることが好ましい。
【００３５】
また、本実施形態では、下記の条件式（２）を満たすように、各遮光溝２０が設計してある。
０．０５＜Ｐ２／（Ｐ１＋Ｐ２＋Ｐ３）＜０．９５  …  （２）
【００３６】
上記の条件式（２）を満足させることで、レンズ鏡筒８内の反射防止、低減または軽減効果を維持しつつ、鏡筒８の外径拡大を抑えて鏡筒８の強度確保や形状変形抑制を可能となる。条件式（１）の下限値を下回ると、各遮光溝２０における第１傾斜面２２および第２傾斜面２４の存在比率が高くなり、レンズ鏡筒８内の反射防止効果が低減すると共に鏡筒８の強度確保が困難になる傾向にある。条件式（２）の上限値を上回ると、各遮光溝２０における平行面２６の存在比率が高くなり、平行面２６で反射する可能性が高くなり、レンズ鏡筒８内の反射防止効果が低減する。なお、条件式（２）の下限値は、好ましくは０．１２、さらに好ましくは０．２０とするのが良い。また、条件式（２）の上限値は、好ましくは０．７５、さらに好ましくは０．６０とするのが良い。
【００３７】
本実施形態では、各遮光溝２０の溝幅Ｐ０＝Ｐ１＋Ｐ２＋Ｐ３は、光軸方向に沿って、一定ではなく、図３に示すように、物体側（図１に示す第１レンズ群１０ａに近い）の遮光溝２０ａ１の溝幅Ｐ０１に比較して、像側（図１に示す第２レンズ群１０ｂに近い）の遮光溝２０ａｎの溝幅Ｐ０ｎが、断続的にまたは連続的に大きくしてある。本実施例に於いては、P0=0.5〜1.5mmである。遮光溝の形成手段や遮光溝形成部材の肉厚などによっては、P0は0.3mmより大きく10mmを下回る範囲で、大きく設定するのが好ましい。
【００３８】
光軸Ｏに沿って隣接する遮光溝２０と遮光溝２０との間には、内方凸部３０が形成される。内方凸部３０の頂点は、先端が鋭角であっても良いが、図４（Ａ）に示すように、面取り部３２が設けられても良いし、図４（Ｂ）に示すように、Ｒ部３４が設けられても良い。面取り部３２を設ける場合には、その面取り幅は、0.2ｍｍ以下が好ましい。また、
Ｒ部３４を設ける場合には、そのＲ部の曲率半径は、0.2ｍｍ以下が好ましい。
【００３９】
図２に示すように、各遮光溝２０における第１傾斜面２２の光軸Ｏに対する第１傾斜角度θ１は、図１に示すレンズ鏡筒８の物体側の先端８ｃから入射する入射光Ｌｉのうち、遮光溝２０に向けて入射する光線の最大角度Φimaxよりも大きな角度に設定されることが好ましい。遮光溝２０に向けて入射する光線の最大角度（入射最大光線角）Φimaxは、第２レンズ群１０ｂからの距離ｄ１によって異なり、図５に示すように大きく変化する。入射最大光線角Φimaxが９０度になるのは、図１に示すレンズ鏡筒８の先端部８ｃの最先端である。
【００４０】
図５に示すように、第２レンズ群１０ｂからの光軸方向距離ｄ１に対応する位置での入射最大光線角Φｉmax に応じて、各遮光溝２０における第１傾斜面２２の第１傾斜角度θ１を変化させてあることが好ましい。たとえば本実施形態では、第１傾斜面２２の第１傾斜角度θ１を、光軸方向距離ｄ１に対応する位置での入射最大光線角Φｉmax よりも大きな角度に設定してある。
【００４１】
図２に示すように、第１傾斜角度θ１は、入射最大光線角Φｉmaxよりも大きな角度に設定してあり、入射最大光線角Φｉmax で遮光溝２０の内部に入射する光線は、第１傾斜面２２および平行面２６に当たることなく、第２傾斜面２４に当たり、そこで反射するようになっている。もちろん、入射最小光線角Φｉmin で遮光溝２０の内部に入射する光線も、第１傾斜面２２および平行面２６に当たることなく、第２傾斜面２４に当たり、そこで反射するようになっている。
【００４２】
したがって、図１に示すレンズ鏡筒８の先端部８ｃから鏡筒内部に入射して遮光溝２０に向かう光線は、全て第２傾斜面２４に当たり、そこで反射するようになっている。第２傾斜面２４は、物体側に面していることから、物体側から第２傾斜面に入射した光線は、物体側に戻され、撮像素子４の方向には行かないようになっている。そのため、撮像素子４で撮像する画像に、フレアやゴーストが発生することを有効に防止することができる。
【００４３】
なお、図１に示すレンズ鏡筒８の先端部８ｃの内壁面にも遮光溝２０を形成する場合などには、遮光溝２０における第１傾斜面２２の第１傾斜角度θ１が、物体側の一部において、入射最大光線角Φｉmax よりも小さくなるようにしてもよい。その場合には、入射最大光線角Φｉmax で遮光溝２０の内部に入射する光線は、平行面２６に当たり反射する可能性があるが、入射最大光線角Φｉmax が９０度に近い角度であるために、平行面２６で反射する光線が、撮像素子４に直接に向かうことはなくフレアやゴーストの要因になることもない。なお、第２レンズ群１０ｂと第１レンズ群１０ａとの間に位置する遮光溝２０における入射最大光線角Φｉmax は、距離ｄ１のみでなく、第１レンズ群１０ａの光学特性によっても変化する。
【００４４】
図２に示すように、各遮光溝２０における第２傾斜面２４の第２傾斜角度θ２は、次のようにして決定される。第２傾斜角度θ２は、遮光溝２０から図１に示す撮像素子４へ出射する出射光の最大角度（出射最大光線角度）Φomaxと同等以上で、しかも、第１傾斜角度θ１よりも小さくなるように決定される。好ましくは、第２傾斜角度θ２は、出射最大光線角度Φomaxの近くの値であり、出射最大光線角度Φomaxに対して０〜20度大きいことが好ましい。
【００４５】
なお、遮光溝２０からの出射最大光線角度Φomaxと、出射最小光線角度Φomaxは、以下のように定義される。すなわち、図１に示すように、各遮光溝２０から撮像素子４に向けて出射される光線Ｌｏを仮定し、撮像素子４における撮像範囲に向けて出射される光線のうち、最大角度で出射される光線の光軸Ｏに対する角度を出射最大光線角度Φomaxとして定義する。
【００４６】
また、各遮光溝２０から撮像素子４に向けて出射される光線Ｌｏを仮定し、撮像素子４における撮像範囲に向けて出射される光線のうち、最小角度で出射される光線の光軸Ｏに対する角度を出射最小光線角度Φominとして定義する。出射最大光線角度Φomaxおよび出射最小光線角度Φominは、第２レンズ群１０ｂおよびその他のレンズ群１０ｃの光学特性も関連して決定される。
【００４７】
また、これらの出射最大光線角度Φomaxおよび出射最小光線角度Φominは、図６に示すように、第２レンズ群１０ｂから第１レンズ群１０ａに向けて光軸Ｏ方向に沿っての距離ｄ１によっても変化する。ただし、図５と図６とを比較して分かるように、距離ｄ１に対する出射最大光線角度Φomaxおよび出射最小光線角度Φominの変化は、入射最大光線角Φｉmaxの変化に比べて小さい。
【００４８】
本実施形態においては、第２レンズ群１０ｂと第１レンズ群１０ａとの間に位置する各遮光溝２０において、第２傾斜面２４の第２傾斜角度θ２は、図６に示す出射最大光線角度Φomaxに基づき光軸Ｏ方向に沿って変化させ、第２レンズ群１０ｂの近くで大きくなることが好ましいが、一定であってもよい。たとえば図６に示す距離ｄ１が０に近い位置の出射最大光線角度Φomax（図６では、約２５度）に基づき、第２傾斜面２４の第２傾斜角度θ２を上述したようにして決定する。
【００４９】
本実施形態では、図３に示すように、物体側（図１に示す第１レンズ群１０ａに近い）の遮光溝２０ａ１の第１傾斜面２２の第１傾斜角度θ１に比較して、像側（図１に示す第２レンズ群１０ｂに近い）の遮光溝２０ａｎの第１傾斜角度θ１を、図５に示す入射最大光線角Φｉmaxの変化割合に応じて、断続的にまたは連続的に小さくしてある。
【００５０】
その結果として、物体側（図１に示す第１レンズ群１０ａに近い）の遮光溝２０ａ１の第１射影長Ｐ１１に比較して、像側（図１に示す第２レンズ群１０ｂに近い）の遮光溝２０ａｎの第１射影長Ｐ１ｎを、図５に示す入射最大光線角Φｉmax の変化割合に応じて、
断続的にまたは連続的に大きくしてある。
【００５１】
また、図３に示すように、第２傾斜面２４の第２傾斜角度θ２は、図６に示す出射最大光線角度Φomaxに基づき決定され、光軸Ｏ方向に沿ってほとんど変化しない。そのため、第３射影長Ｐ３１〜Ｐ３ｎは、光軸方向に沿って一定である。また、第２射影長Ｐ２１〜Ｐ２ｎは光軸Ｏ方向に沿ってほとんど変化させないでよい。これらのことから、各遮光溝２０ａ１〜２０ａｎの溝幅Ｐ０１〜Ｐ０ｎは、光軸Ｏに沿って、第２レンズ群１０ｂに近づくにつれて、段階的または連続的に大きくなる。
【００５２】
なお、第３射影長Ｐ３１〜Ｐ３ｎは、図６に示す出射最大光線角度Φomaxの変化に合わせて、第２レンズ群１０ｂに近づくにつれて多少短くしても良いが、第１射影長Ｐ１１〜Ｐ１ｎの変化に比較して小さい。そのため、各遮光溝２０ａ１〜２０ａｎの溝幅Ｐ０１〜Ｐ０ｎは、光軸Ｏに沿って、第２レンズ群１０ｂに近づくにつれて、段階的または連続的に大きくなることには変わりがない。
【００５３】
図１に示すように、本実施形態のレンズ鏡筒８を持つカメラ２では、第１筒部８ａの内壁面には、第２レンズ群１０ｂの光軸Ｏを含む縦断面において、鋸刃形状の遮光溝２０が光軸Ｏに沿って複数形成してある。このため、レンズ鏡筒８内での反射防止、低減または軽減効果を図ることができる。そのため、撮像素子４で撮像した画像にフレアやゴーストの発生を防止して、撮像画像の品質が向上する。
【００５４】
また、このレンズ鏡筒８では、各遮光溝２０が、第１傾斜面２２と、第２傾斜面２４と、平行面２６とで構成され、各遮光溝２０内で、平行面２６が、光軸Ｏから最も離れて配
置される。平行面２６がない遮光溝に比較して、平行面２６がある本実施形態の遮光溝２０では、遮光溝２０の深さを浅く設定することが可能になり、鏡筒８の外径拡大を抑えて鏡筒８の強度確保や形状変形抑制が可能となる。
【００５５】
さらに、各遮光溝２０に平行面２６を形成することで、光軸方向に隣り合う遮光溝２０の間に形成される凸部３０の頂点の数を光軸方向に沿って低減することが可能になる。遮光溝２０の間に形成される凸部３０の頂点は、レンズ鏡筒８の内周面において、レンズ鏡筒８内に入射した光が反射する箇所となり得るために、その凸部３０の数は、少ないほど好ましい。なお、第１傾斜面２２と第２傾斜面２４との角度が調整されることで、物体側からレンズ鏡筒内に入り込む光が遮光溝２０の内部に入り込んでも各平行面２６には当たらず、第２傾斜面２４で反射し、物体側に戻されるようになっている。
【００５６】
また、本実施形態では、図３に示すように、各遮光溝２０ａ１〜２０ａｎにおける（Ｐ１＋Ｐ２）／Ｐ３の比率を、光軸方向に沿って段階的に、あるいは徐々に変化させてある。たとえば図１に示す第１レンズ群１０ａの近くに位置する遮光溝２０ａ１における（Ｐ１１＋Ｐ２１）／Ｐ３１の比率に比較して、第２レンズ群１０ｂの近くに位置する遮光溝２０ａｎにおける（Ｐ１ｎ＋Ｐ２ｎ）／Ｐ３ｎの比率が大きくなるように、各遮光溝２０ａ１〜２０ａｎにおける（Ｐ１＋Ｐ２）／Ｐ３の比率を、光軸方向に沿って段階的に、あるいは徐々に変化させてある。
【００５７】
図５に示すように、入射最大光線角Φimaxは、距離ｄ１＝０に近づくほど、すなわち、遮光溝２０が第２レンズ群１０ｂに近づくほど小さくすることができる。そこで、入射最大光線角Φimaxに基づき決定される第１傾斜角度θ１は、遮光溝２０が第２レンズ群１０ｂに近づくほど小さくすることができ、その結果、第１射影長Ｐ１を、第２レンズ群１０ｂに近づくほど長くしても、反射防止効果を維持できる。
【００５８】
また、図６に示すように、出射最大光線角Φomaxは、距離ｄ１に係わらずほとんど変化しない。そこで、出射最大光線角Φomaxに基づき決定される第２傾斜角度θ２は、距離ｄ１によらずに一定にすることができ、その結果、第１レンズ群１０ａに近い遮光溝２０ａ１の第３射影長Ｐ３１を、第２レンズ群１０ｂに近い遮光溝２０ａｎの第３射影長Ｐ３ｎと略同じにしても、反射防止効果を維持できる。また、第２射影長Ｐ２１〜Ｐ２ｎは、距離ｄ１によらずに一定にすることができる。
【００５９】
したがって、図７に示すように、遮光溝２０ａ１における第１射影長Ｐ０１に比較して、遮光溝２０ａｎにおける第１射影長Ｐ０ｎが大きくできる。結果として、（Ｐ１＋Ｐ２）／Ｐ３の比率と、遮光溝２０ａ１〜２０ａｎの溝幅Ｐ０１〜Ｐ０ｎとを、光軸方向に沿って第２レンズ群１０ｂに近づくにつれて、段階的に、あるいは徐々に大きくできる。
【００６０】
反射光を撮像素子４の方向に向かわせない遮光溝２０ａ１〜２０ａｎの溝幅Ｐ０１〜Ｐ０ｎを大きくすることができれば、光軸Ｏに沿った内方凸部３０の数を減らすことができ、内方凸部３０での反射も少なくなり、反射防止効果がより効果的となる。
【００６１】
なお、本実施形態では、図３に示すように、光軸Ｏ方向に沿って形成される複数の内方凸部３０の内径は、光軸Ｏ方向に沿って一定であるが、図７に示すように、内方凸部３０ａの内径を像側に向けて徐々に小さくなるように構成しても良い。ただし、各遮光溝２０ｂにおける第１傾斜面２２、平行面２６、第２傾斜面２４の関係関係を含めて、その他の構成と作用効果は、前述した実施形態と同様である。
【００６２】
また、上述した実施形態では、各遮光溝２０について、平行面２６を設けたが、特に、第２レンズ群１０ｂに近い一部の遮光溝２０について、あるいは全ての遮光溝について、平行面２６を省略しても良い。
【００６３】
たとえば図８に示すように、各遮光溝２０ｃについて、第１傾斜面２２および第２傾斜面２４のみで構成してもよい。また、物体側（図１に示す第１レンズ群１０ａに近い）の遮光溝２０ｃの第１射影長Ｐ１１に比較して、像側（図１に示す第２レンズ群１０ｂに近い）の遮光溝２０ｃの第１射影長Ｐ１ｎを、図５に示す入射最大光線角Φｉmax の変化割合に応じて、断続的にまたは連続的に大きくしてもよい。
【００６４】
図８に示す第３射影長Ｐ３１〜Ｐ３ｎに関しては、一定でも良いが、図６に示す出射最大光線角度Φomaxの変化に合わせて、第２レンズ群１０ｂに近づくにつれて多少短くしても良い。ただし、第３射影長Ｐ３１〜Ｐ３ｎの変化の割合は、第１射影長Ｐ１１〜Ｐ１ｎの変化に比較して小さい。そのため、各遮光溝２０ｃの溝幅Ｐ０１〜Ｐ０ｎは、光軸Ｏに沿って、第２レンズ群１０ｂに近づくにつれて、段階的または連続的に大きくなる。その他の構成と作用効果は、前述した実施形態と同様である。
【００６５】
上述した実施形態では、スチルカメラについて説明したが、上述した実施形態の構成は、ビデオカメラのレンズ鏡筒に対しても同様にして適用することができる。
【００６６】
また、上述した実施形態では、レンズ鏡筒８の内周面に遮光溝２０を形成した例を説明したが、図９に示すように、第１レンズ群１０ａおよび第２レンズ群１０ｂを有するレンズ鏡筒８に装着可能なフード８０の内周面に、上述の実施形態と同様の遮光溝２０を形成してもよい。すなわち、図９に示す遮光溝２０においても、図２〜図８に示すような構造を採用することが可能であり、また、図５および図６に示すような関係を有することができる。なお、図９に示すカメラ２においては、物体側から第１レンズ群１０ａが凹レンズであり、第２レンズ群１０ｂが凸レンズであるが、これに限定されない。
【符号の説明】
【００６７】
２…  カメラ
４…  撮像素子
６…  カメラ本体
８…  レンズ鏡筒
８ａ…  第１筒部
８ｂ…  第２筒部
８ｃ…  先端部
１０ａ…  第１レンズ群
１０ｂ…  第２レンズ群
１０ｃ…  その他のレンズ群
１２…  絞り機構
２０，２０ａ,２０ｂ…  遮光溝
２２…  第１傾斜面
２４…  第２傾斜面
２６…  平行面
３０，３０ａ…  内方凸部
３２…  面取り部
３４…  Ｒ部
８０…  フード
【図１】
0005660336.tif 000002
【図２】
0005660336.tif 000003
【図３】
0005660336.tif 000004
【図４】
0005660336.tif 000005
【図５】
0005660336.tif 000006
【図６】
0005660336.tif 000007
【図７】
0005660336.tif 000008
【図８】
0005660336.tif 000009
【図９】
0005660336.tif 000010